(57)【要約】  本発明は、第１放送帯域および第１放送帯域よりも帯域幅が狭い第２放送帯域の少なくとも一方から番組を受信可能な放送受信部１４と、表示装置を接続可能なインターフェースと、を有する情報機器１０を制御する。表示装置２１Ａは、画面を複数の表示領域に分割してそれぞれの表示領域に情報を表示する複数画面態様と単一の表示領域にて情報を表示する単一画面態様とによって制御される。本発明は、放送受信部１４の状態、表示装置２１Ａの状態、および当該制御装置１０Ａの状態の少なくとも１つを含む情報機器１０の状態を監視し、その状態が所定の条件に該当すると判定されたときに、放送受信部１４を制御し、第２放送帯域から番組を受信する。
2008081512.tif 000002
【特許請求の範囲】
【請求項１】
第１放送帯域および第１放送帯域よりも帯域幅が狭い前記第２放送帯域の少なくとも一方から番組を受信可能な放送受信部と、
表示装置を接続可能なインターフェースと、
を有する情報機器を制御する制御装置であり、
前記インターフェースに接続される表示装置の画面を複数の表示領域に分割してそれぞれの表示領域に情報を表示する複数画面態様と単一の表示領域にて情報を表示する単一画面態様とによって、前記表示装置への画面出力形態を制御する画面制御部と、
前記放送受信部の状態、前記表示装置の状態、前記画面制御部の状態、および当該制御装置の状態の少なくとも１つを含む情報機器の状態を監視する監視部と、
前記監視部によって前記情報機器の状態が所定の条件に該当すると判定されたときに、前記放送受信部を制御し、前記第２放送帯域から前記番組を受信する受信制御部と、を有する制御装置。
【請求項２】
番組の視聴指示を含む入力操作を検知する検知部をさらに備え、
前記受信制御部は、前記視聴指示操作が検知されたときに、前記表示装置が複数画面態様で使用されており、かつ、前記番組が表示される表示領域の寸法が所定の寸法以下である場合に、前記放送受信部を制御し、前記第２放送帯域から前記番組を受信する請求項１に記載の制御装置。
【請求項３】
前記監視部によって前記情報機器の状態が所定の条件に該当すると判定されたときに、前記画面制御部は、前記番組が表示される表示領域を所定の寸法以下に縮小する請求項１に記載の制御装置。
【請求項４】
前記放送受信部は、
前記第１放送帯域から番組を受信する第１受信部と、
前記第２放送帯域から番組を受信する第２受信部と、
前記受信制御部の制御にしたがって、前記第１放送帯域から受信された番組および第２放送帯域から受信された番組のいずれか一方を前記表示装置に出力する切り替え部と、
を有する、請求項１に記載の制御装置。
【請求項５】
前記第１放送帯域から受信される番組が前記単一画面態様にて表示されているときに、前記検知部が前記画面を複数画面態様に変更する操作を検知し、かつ、その複数画面態様にて前記番組が表示される表示領域が所定の寸法以下である場合に、前記受信制御部が、前記放送受信部に、第１放送帯域からの受信を中断させ、前記第２デジタル放送から前記番組を受信させる請求項１に記載の制御装置。
【請求項６】
前記監視部は、前記情報機器で実行される情報処理の負荷を監視する負荷監視部を有し、
前記負荷が所定の基準負荷以上である場合に、前記受信制御部が、前記放送受信部に、前記第１放送帯域からの受信を中断させ、前記第２放送帯域から前記番組を受信させる請求項１に記載の制御装置。
【請求項７】
前記監視部は、番組の映像、番組の音、および番組に関連づけて放送される情報の少なくとも１つが所定の判定条件に該当するか否かを監視する番組監視部を有し、
前記番組の映像、番組の音、および番組に関連づけて放送される情報の少なくとも１つが前記判定条件に該当する場合に、前記受信制御部が、前記放送受信部に、第１放送帯域からの受信を中断させ、前記第２放送帯域から前記番組を受信させる請求項１に記載の制御装置。
【請求項８】
前記監視部は、当該情報機器の使用状態が所定の使用条件に該当するか否かを監視する使用状態監視部を有し、
前記使用状態が前記使用条件に該当する場合に、前記受信制御部が、前記放送受信部に、前記第１放送帯域からの受信を中断させ、前記第２放送帯域から前記番組を受信させる請求項１に記載の制御装置。
【請求項９】
前記使用状態は、前記検知部で検知される入力操作の頻度、前記単一画面態様および複数画面態様を含む前記表示装置に表示される画面の状態、前記複数画面態様で表示される画面の寸法、および、前記表示装置に表示される画面に対応する情報処理の種類を含む請求項８に記載の制御装置。
【請求項１０】
前記第１放送帯域および第２放送帯域は、それぞれデジタル放送により番組が放送される請求項１に記載の制御装置。
【請求項１１】
第１放送帯域および第１放送帯域よりも帯域幅が狭い前記第２放送帯域の少なくとも一方から番組を受信可能な放送受信部と、
表示装置を接続可能なインターフェースと、
前記インターフェースに接続される表示装置の画面を複数の表示領域に分割してそれぞれの情報を表示する複数画面態様と単一の表示領域にて情報を表示する単一画面態様とによって前記表示装置への画面出力形態を制御する画面制御部と、
制御装置と、を備え、
前記制御装置は、
前記放送受信部の状態、前記表示装置の状態、前記画面制御部の状態および当該制御装置の状態の少なくとも１つを含む情報機器の状態を監視する監視部と、
前記監視部によって前記情報機器の状態が所定の条件に該当すると判定されたときに、前記放送受信部を制御し、前記第２放送帯域から前記番組を受信する受信制御部と、を備える情報機器。
【請求項１２】
前記制御装置は、番組の視聴指示を含む入力操作を検知する検知部をさらに備え、
前記受信制御部は、前記視聴指示操作が検知されたときに、前記表示装置が複数画面態様で使用されており、かつ、前記番組が表示される表示領域の寸法が所定の寸法以下である場合に、前記放送受信部を制御し、前記第２放送帯域から前記番組を受信する請求項１１に記載の情報機器。
【請求項１３】
前記監視部によって前記情報機器の状態が所定の条件に該当すると判定されたときに、前記画面制御部は、前記番組が表示される表示領域を所定の寸法以下に縮小する請求項１１に記載の情報機器。
【請求項１４】
前記放送受信部は、
前記第１放送帯域から番組を受信する第１受信部と、
前記第２放送帯域から番組を受信する第２受信部と、
前記受信制御部の制御にしたがって、前記第１放送帯域から受信された番組および第２放送帯域から受信された番組のいずれか一方を前記表示装置に出力する切り替え部と、
を有する、請求項１１に記載の情報機器。
【請求項１５】
前記第１放送帯域から受信される番組が前記単一画面態様にて表示されているときに、前記検知部が前記画面を複数画面態様に変更する操作を検知し、かつ、その複数画面態様にて前記番組が表示される表示領域が所定の寸法以下である場合に、前記受信制御部が、前記放送受信部に、第１放送帯域からの受信を中断させ、前記第２デジタル放送から前記番組を受信させる請求項１１に記載の情報機器。
【請求項１６】
前記監視部は、前記情報機器で実行される情報処理の負荷を監視する負荷監視部を有し、
前記負荷が所定の基準負荷以上である場合に、前記受信制御部が、前記放送受信部に、前記第１放送帯域からの受信を中断させ、前記第２放送帯域から前記番組を受信させる請求項１１に記載の情報機器。
【請求項１７】
前記監視部は、番組の映像、番組の音、および番組に関連づけて放送される情報の少なくとも１つが所定の判定条件に該当するか否かを監視する番組監視部を有し、
前記番組の映像、番組の音、および番組に関連づけて放送される情報の少なくとも１つが前記判定条件に該当する場合に、前記受信制御部が、前記放送受信部に、第１放送帯域からの受信を中断させ、前記第２放送帯域から前記番組を受信させる請求項１１に記載の情報機器。
【請求項１８】
前記監視部は、当該情報機器の使用状態が所定の使用条件に該当するか否かを監視する使用状態監視部を有し、
前記使用状態が前記使用条件に該当する場合に、前記受信制御部が、前記放送受信部に、前記第１放送帯域からの受信を中断させ、前記第２放送帯域から前記番組を受信させる請求項１１に記載の情報機器。
【請求項１９】
前記使用状態は、前記検知部で検知される入力操作の頻度、前記単一画面態様および複数画面態様を含む前記表示装置に表示される画面の状態、前記複数画面態様で表示される画面の寸法、および、前記表示装置に表示される画面に対応する情報処理の種類を含む請求項１８に記載の情報機器。
【請求項２０】
前記第１放送帯域および第２放送帯域は、それぞれデジタル放送により番組が放送される請求項１１に記載の情報機器。
【請求項２１】
第１放送帯域および第１放送帯域よりも帯域幅が狭い前記第２放送帯域の少なくとも一方から番組を受信可能な放送受信部と、
表示装置を接続可能なインターフェースと、
前記インターフェースに接続される表示装置の画面を複数の表示領域に分割してそれぞれの情報を表示する複数画面態様と単一の表示領域にて情報を表示する単一画面態様とによって前記表示装置への画面出力形態を制御する画面制御部を有する情報機器をコンピュータが制御する方法であり、前記コンピュータが、
前記放送受信部の状態、前記表示装置の状態、前記画面制御部の状態、および当該コンピュータの状態の少なくとも１つを含む情報機器の状態を監視する監視ステップと、
前記監視ステップによって前記情報機器の状態が所定の条件に該当すると判定されたときに、前記放送受信部を制御し、前記第２放送帯域から前記番組を受信する受信制御ステップと、実行する制御方法。
【請求項２２】
番組の視聴指示を含む入力操作を検知する検知ステップと、
前記視聴指示操作が検知されたときに、前記表示装置が複数画面態様で使用されており、かつ、前記番組が表示される表示領域の寸法が所定の寸法以下である場合に、前記放送受信部を制御し、前記第２放送帯域から前記番組を受信するステップと、をさらに有する請求項２１に記載の制御方法。
【請求項２３】
前記情報機器の状態が所定の条件に該当すると判定されたときに、前記番組が表示される表示領域を所定の寸法以下に縮小するステップをさらに、有する請求項２１に記載の制御方法。
【請求項２４】
前記第１デジタル放送から受信される番組が前記単一画面態様にて表示されているときに、前記検知部が前記画面を複数画面態様に変更する操作を検知するステップと、
前記操作が検知され、かつ、前記複数画面態様にて前記番組が表示される表示領域が所定の寸法以下である場合に、第１デジタル放送からの受信を中断し、前記第２放送帯域から前記番組を受信するステップと、をさらに有する請求項２１に記載の制御方法。
【請求項２５】
前記コンピュータで実行される情報処理の負荷を監視するステップと、
前記負荷が所定の基準負荷以上である場合に、前記第１デジタル放送からの受信を中断し、前記第２放送帯域から前記番組を受信するステップと、をさらに有する請求項２１に記載の制御方法。
【請求項２６】
番組の映像、番組の音、および番組に関連づけて放送される情報の少なくとも１つが所定の判定条件に該当するか否かを監視するステップと、
前記番組の映像、番組の音、および番組に関連づけて放送される情報の少なくとも１つが前記判定条件に該当する場合に、第１デジタル放送からの受信を中断し、前記第２放送帯域から前記番組を受信するステップと、をさらに有する請求項２１に記載の制御方法。
【請求項２７】
当該情報機器の使用状態が所定の使用条件に該当するか否かを監視するステップと、
前記使用状態が前記使用条件に該当する場合に、前記第１デジタル放送からの受信を中断し、前記第２放送帯域から前記番組を受信するステップと、をさらに有する請求項２１に記載の制御方法。
【請求項２８】
前記使用状態は、前記検知部で検知される入力操作の頻度、前記単一画面態様および複数画面態様を含む前記表示装置に表示される画面の状態、前記複数画面態様で表示される画面の寸法、および、前記表示装置に表示される画面に対応する情報処理の種類を含む請求項２７に記載の制御方法。
【請求項２９】
前記第１放送帯域および第２放送帯域は、それぞれデジタル放送により番組が放送される請求項２１に記載の制御方法。
【請求項３０】
第１放送帯域および第１放送帯域よりも帯域幅が狭い前記第２放送帯域の少なくとも一方から番組を受信可能な放送受信部と、
表示装置を接続可能なインターフェースと、
前記インターフェースに接続される表示装置の画面を複数の表示領域に分割してそれぞれの情報を表示する複数画面態様と単一の表示領域にて情報を表示する単一画面態様とによって前記表示装置への画面出力形態を制御する画面制御部と、を有する情報機器をコンピュータに制御させるプログラムであり、
前記放送受信部の状態、前記表示装置の状態、前記画面制御部の状態、および当該コンピュータの状態の少なくとも１つを含む情報機器の状態を監視する監視ステップと、
前記監視ステップによって前記情報機器の状態が所定の条件に該当すると判定されたときに、前記放送受信部を制御し、前記第２放送帯域から前記番組を受信する受信制御ステップと、を有するプログラム。
【請求項３１】
番組の視聴指示を含む入力操作を検知する検知ステップと、
前記視聴指示操作が検知されたときに、前記表示装置が複数画面態様で使用されており、かつ、前記番組が表示される表示領域の寸法が所定の寸法以下である場合に、前記放送受信部を制御し、前記第２放送帯域から前記番組を受信するステップと、をさらに有する請求項３０に記載のプログラム。
【請求項３２】
前記情報機器の状態が所定の条件に該当すると判定されたときに、前記番組が表示される表示領域を所定の寸法以下に縮小するステップをさらに、有する請求項３０に記載のプログラム。
【請求項３３】
前記第１デジタル放送から受信される番組が前記単一画面態様にて表示されているときに、前記検知部が前記画面を複数画面態様に変更する操作を検知するステップと、
前記操作が検知され、かつ、前記複数画面態様にて前記番組が表示される表示領域が所定の寸法以下である場合に、第１デジタル放送からの受信を中断し、前記第２放送帯域から前記番組を受信するステップと、をさらに有する請求項３０に記載のプログラム。
【請求項３４】
前記コンピュータで実行される情報処理の負荷を監視するステップと、
前記負荷が所定の基準負荷以上である場合に、前記第１デジタル放送からの受信を中断し、前記第２放送帯域から前記番組を受信するステップと、をさらに有する請求項３０に記載のプログラム。
【請求項３５】
番組の映像、番組の音、および番組に関連づけて放送される情報の少なくとも１つが所定の判定条件に該当するか否かを監視するステップと、
前記番組の映像、番組の音、および番組に関連づけて放送される情報の少なくとも１つが前記判定条件に該当する場合に、第１デジタル放送からの受信を中断し、前記第２放送帯域から前記番組を受信するステップと、をさらに有する請求項３０に記載のプログラム。
【請求項３６】
当該情報機器の使用状態が所定の使用条件に該当するか否かを監視するステップと、
前記使用状態が前記使用条件に該当する場合に、前記第１デジタル放送からの受信を中断し、前記第２放送帯域から前記番組を受信するステップと、をさらに有する請求項３０に記載のプログラム。
【請求項３７】
前記使用状態は、前記検知部で検知される入力操作の頻度、前記単一画面態様および複数画面態様を含む前記表示装置に表示される画面の状態、前記複数画面態様で表示される画面の寸法、および、前記表示装置に表示される画面に対応する情報処理の種類を含む請求項３６に記載のプログラム。
【請求項３８】
前記第１放送帯域および第２放送帯域は、それぞれデジタル放送により番組が放送される請求項３０に記載のプログラム。
【発明の詳細な説明】
【技術分野】
【０００１】
本発明は、テレビジョン視聴機能を有する情報機器に関するものである。
【背景技術】
【０００２】
従来から、パーソナルコンピュータ等の情報機器には、テレビジョン受信機能が備えられている。これらの情報機器では、表示装置に形成されるテレビジョン画面にテレビジョン放送の番組を表示する。テレビジョン画面は、表示装置の画面全体に表示される場合もあれば、表示装置の画面上の一部のウィンドウに表示される場合もある。また、サイドバーと呼ばれる表示装置の画面上の側部に沿った帯状領域内に縮小されて表示される場合もある。このような画面構成は、パーソナルコンピュータに限られず、据え置き型のテレビジョン視聴装置でも実現されている。【０００３】
一方、テレビジョン放送は、アナログ放送から、デジタル放送への移行が進められている。デジタル放送のうち、地上波デジタル放送と呼ばれる放送は、１チャンネルが帯域幅６ＭＨｚであり、その帯域幅が１３個のセグメント（周波数帯）に分割される。このうち、１２個のセグメントがハイビジョン放送に割り当てられ、高精細の番組が放送される。また、残り１セグメントは、主として移動端末向けのワンセグメント放送として使用され、ハイビジョン放送よりも低解像度の番組が放送される。【０００４】
ハイビジョン放送は、高精細であるが、それだけ表示される情報量が多い。そのため、情報機器のリソースに限界がある場合には、ハイビジョン放送を常時表示することが必ずしも、望ましいことではない。例えば、縮小されたテレビジョン画面、あるいは、サイドバー内に収められたテレビジョン画面に番組を表示する場合に、ハイビジョン放送を縮小して表示するのでは、情報機器に対する負荷が非常に高くなるにも拘わらず、視聴者であるユーザは、高精細のメリットを享受できるわけではない。また、情報機器の情報処理能力に限界がある場合、テレビジョン放送受信以外の他の処理の実行に影響を与える場合もある。
【特許文献１】特開２００４−０５６１７８号公報
【特許文献２】特開２００２−２７８６５８号公報
【特許文献３】特開２００６−１９６３６号公報
【特許文献４】特開２００１−１０１１９０号公報
【特許文献５】特開２００１−１７５２３９号公報
【特許文献６】特開平０８−２８７２７０号公報
【発明の開示】
【発明が解決しようとする課題】
【０００５】
本発明の目的は、広帯域放送の受信と狭帯域放送の受信とを使い分けることにより、高精細映像のメリットと、狭帯域放送による軽負荷のメリットと、を享受できる技術を提供することにある。
【課題を解決するための手段】
【０００６】
本発明は前記課題を解決するために、以下の手段を採用した。すなわち、本発明は、第１放送帯域および第１放送帯域よりも帯域幅が狭い前記第２放送帯域の少なくとも一方から番組を受信可能な放送受信部と、表示装置を接続可能なインターフェースと、を有する情報機器を制御する技術に関する。本発明は、インターフェースに接続される表示装置の画面を複数の表示領域に分割してそれぞれの表示領域に情報を表示する複数画面態様と単一の表示領域にて情報を表示する単一画面態様とによって、表示装置への画面出力形態を制御する画面制御部を有する。また、本発明は、放送受信部の状態、表示装置の状態、画面制御部の状態、および当該制御装置の状態の少なくとも１つを含む情報機器の状態を監視し、情報機器の状態が所定の条件に該当すると判定されたときに、放送受信部を制御し、前記第２放送帯域から番組を受信する。【０００７】
すなわち、本発明は、放送受信部の状態、表示装置の状態、画面制御部の状態、および当該制御装置の状態の少なくとも１つを含む情報機器の状態が所定の条件に該当する場合に、第１放送帯域よりも帯域幅が狭い前記第２放送帯域から番組を受信する。したがって、情報機器の状態に応じて、第１放送帯域と、第２放送帯域とを使い分けて視聴する機能を提供する。【０００８】
例えば、本発明は、番組の視聴指示を含む入力操作を検知する機能を有する。そして、視聴指示操作が検知されたときに、表示装置が複数画面態様で使用されており、かつ、番組が表示される表示領域の寸法が所定の寸法以下である場合に、本発明は、放送受信部を制御し、第２放送帯域から前記番組を受信すればよい。したがって、本発明は、番組が表示される表示領域の寸法に応じて、第１放送帯域と、第２放送帯域とを使い分けて視聴する機能を提供する。【０００９】
また、本発明は、情報機器の状態が所定の条件に該当すると判定されたときに、番組が表示される表示領域を所定の寸法以下に縮小してもよい。したがって、本発明は、情報機器の状態に応じて、番組を表示する表示領域の大きさを調整する機能を提供する。【００１０】
また、本発明は、第１放送帯域から番組を受信する第１受信部と、第２放送帯域から番組を受信する第２受信部とを有し、第１放送帯域から受信された番組および第２放送帯域から受信された番組のいずれか一方を前記表示装置に出力するようにしてもよい。【００１１】
また、本発明は、第１放送帯域から受信される番組が単一画面態様にて表示されているときに、画面を複数画面態様に変更する操作を検知し、かつ、その複数画面態様にて前記番組が表示される表示領域が所定の寸法以下である場合に、第１放送帯域からの受信を中断し、第２放送帯域から番組を受信するようにしてもよい。すなわち、本発明は、ユーザの操作によって画面の態様が変更されたときに、その変更後の画面の状態に応じて、第１放送帯域と、第２放送帯域とを使い分けて視聴する機能を提供する。【００１２】
また、本発明は、情報機器で実行される情報処理の負荷を監視するようにしてもよい。そして、その負荷が所定の基準負荷以上である場合に、第１放送帯域からの受信を中断し、第２放送帯域から番組を受信すればよい。したがって、本発明は、情報機器で実行される情報処理の負荷に応じて、第１放送帯域と、第２放送帯域とを使い分けて視聴する機能を提供する。【００１３】
また、本発明は、番組の映像、番組の音、および番組に関連づけて放送される情報の少なくとも１つが所定の判定条件に該当するか否かを監視する番組監視部を有してもよい。そして、番組の映像、番組の音、および番組に関連づけて放送される情報の少なくとも１つが判定条件に該当する場合に、第１放送帯域からの受信を中断し、第２放送帯域から番組を受信するようにしてもよい。したがって、本発明は、番組の映像、番組の音、および番組に関連づけて放送される情報に応じて、第１放送帯域と、第２放送帯域とを使い分けて視聴する機能を提供する。【００１４】
また、本発明は、当該情報機器の使用状態が所定の使用条件に該当するか否かを監視するようにしてもよい。そして、使用状態が前記使用条件に該当する場合に、第１放送帯域からの受信を中断し、第２放送帯域から番組を受信するようにしてもよい。したがって、本発明は、情報機器の使用状態に応じて、第１放送帯域と、第２放送帯域とを使い分けて視聴する機能を提供する。【００１５】
なお、第１放送帯域は、例えば、デジタル放送でのハイビジョン放送の帯域であり、第１放送帯域は、ワンセグメント放送の帯域である。ただし、本発明は、デジタル放送に限定されるものではなく、広帯域放送と狭帯域放送とを使い分けて受信するテレビジョン視聴技術として実現できる。【００１６】
ここで、使用状態とは、例えば、情報機器に対する入力操作の頻度、単一画面態様および複数画面態様を含む表示装置に表示される画面の状態、複数画面態様で表示される画面の寸法、および、表示装置に表示される画面に対応する情報処理の種類を含む。
【発明の効果】
【００１７】
本発明によれば、広帯域放送の受信と狭帯域放送の受信とを使い分けることにより、高精細映像のメリットと、狭帯域放送による軽負荷のメリットとを享受できる。
【図面の簡単な説明】
【００１８】
【図１】実施形態に係るテレビジョン視聴装置の典型的な使用例を示す図である。
【図２】テレビジョン視聴装置の概要構成図である。
【図３】テレビジョン視聴装置の詳細構成図である。
【図４】放送受信部の詳細構成図である。
【図５】第１実施形態に係るテレビジョン視聴装置がテレジョン放送の受信を開始するときの処理手順である。
【図６】第２実施形態に係るテレビジョン放送受信を開始するフローチャートである。
【図７】システムの負荷によってワンセグメント放送とハイビジョン放送の切り替えを実行するフローチャートである。
【図８】番組内容による受信放送の切り替え処理のフローチャートである。
【図９】画面状態による受信放送の切り替え処理のフローチャートである。
【図１０】操作量による受信放送の切り替え処理のフローチャートである。
【図１１】テレビジョン放送受信中に、表示画面を切り替える処理のフローチャートである。
【図１２】第３実施形態に係るテレビジョン視聴装置１０のフローチャートである。
【符号の説明】
【００１９】
１０  テレビジョン視聴装置
１０Ａ  制御装置
１１  ＣＰＵ
１２  メモリ
１３  インターフェース
１４  放送受信部
１５  通信部
１６  ハードディスクドライブ
１７  可搬記憶媒体駆動部
１８  操作部
１９  赤外線検出部
２０  赤外線リモコン
２１  ディスプレイ
２２  画像処理部
１４１  チューナ
１４２  ワンセグメント復号器
１４３  ハイビジョン復号器
ＭＷ  主領域
ＳＢ  副領域
ＳＷ１、ＳＷ２  スイッチ
【発明を実施するための最良の形態】
【００２０】
以下、図面を参照して本発明を実施するための最良の形態（以下、実施形態という）に係るテレビジョン視聴装置について説明する。以下の実施形態の構成は例示であり、本発明は実施形態の構成には限定されない。【００２１】
＜発明の骨子＞
地上デジタル放送において、ハイビジョン放送とワンセグメント放送が提供されている。２つの放送の違いとしては、ハイビジョン放送では解像度が高く、画像として綺麗であり、一方、ワンセグメント放送では解像度が低い。その代わりに、ワンセグメント放送では映像を処理するときの負荷がハイビジョン放送に比べて軽いという利点がある。本テレビジョン視聴装置は、このようなそれぞれの放送方式の利点を利用する。【００２２】
図１に、本テレビジョン視聴装置の典型的な使用例を示す。例えば、フルスクリーンでテレビジョンの視聴を行っているようにテレビジョンへの注目度が高い場合には、本テレビジョン視聴装置はハイビジョン放送を受信する。一方、テレビジョン番組の視聴以外の処理を実行するとともに、画面寸法の小さいウィンドウにて視聴を並行して実行する場合には、本テレビジョン視聴装置はワンセグメント放送を受信する。【００２３】
画面寸法の小さいウィンドウは、例えば、画面を主領域と副領域に分割して使用する場合の副領域に構成されるウィンドウである。副領域は、例えば、サイドバーなどと呼ばれ、画面のいずれかの縁に近い帯状に形成される領域である。図１では、主領域ＭＷでは、ユーザが作業中のウィンドウＷ１が表示されている。一方、副領域ＳＢには、テレビジョン表示用のウィンドウ（以下、単にテレビジョン画面という）Ｗ２が表示されている。このようなテレビジョン視聴装置の状態では、テレビジョン画面Ｗ２の着目度が低いと推定できるので、本テレビジョン視聴装置は、ハイビジョン放送に代えて、ワンセグメント放送をテレビジョン画面Ｗ２に表示する。【００２４】
また、例えば、本テレビジョン視聴装置で実行されているアプリケーションプログラムが、テレビジョン放送の受信処理だけである場合には、本テレビジョン視聴装置は、ハイビジョン放送を受信する。一方、テレビジョン放送の受信処理以外に、優先すべき他のアプリケーションプログラムが実行されている場合には、本テレビジョン視聴装置は、ワンセグメント放送を受信する。【００２５】
このような使い分けにより、テレビジョン番組視聴処理と他の処理との並行処理の場合には、テレビジョン番組視聴処理の負荷を軽くし、他の処理にリソースを優先的に割り当てることができる。すなわち、本テレビジョン視聴装置は、装置の使用状況に合わせた効果的な視聴機能を提供する。【００２６】
＜テレビジョン視聴装置の概要構成＞
図２に、本実施形態に係るテレビジョン視聴装置１０の概要構成図を示す。本テレビジョン視聴装置１０は、ユーザの操作を受けて、テレビジョン視聴装置１０を操作する操作部１８と、操作部１８への操作にしたがってテレビジョン放送を受信する放送受信部１４と、放送受信部１４で受信された放送番組を表示する表示部２１Ａと、テレビジョン視聴装置１０を制御する制御装置１０Ａとを有する。【００２７】
さらに、制御装置１０Ａは、操作部１８へのユーザ操作によって発生する操作信号を検知する検知部３０、操作部１８を通じたユーザの操作状況、放送受信部１４で受信された番組の状況、表示部２１Ａでの表示状態等を監視する監視部１１Ａ、検知部３０での検知結果あるいは監視部１１Ａの監視結果に応じて画面の表示状態を制御する画面制御部３１、検知部３０での検知結果あるいは監視部１１Ａの監視結果に応じて放送受信部１４で受信する放送を選択する受信制御部３２を有している。【００２８】
ここで、操作部１８は、チャンネル、操作ボタン、コンピュータの入力装置等である。【００２９】
また、これらのうち、制御装置１０Ａは、ＣＰＵ、メモリ等を含むコンピュータとコンピュータ上で実行されるプログラムによって実現することができる。操作部１８、表示部２１Ａ、および、放送受信部１４は、所定のインターフェースを通じて、制御装置１０Ａに接続される。【００３０】
検知部３０は、操作部１８とＣＰＵとのインターフェースと、インターフェースの信号を処理するデバイスドライバと、デバイスドライバを通じて操作部１８との間で信号を授受するＯＳ（オペレーティングシステム）とを含み、ＯＳを通じて、操作部１８への操作（例えば、受信チャンネルの切り替え）を検知する。【００３１】
ただし、検知部３０として、専用のハードウェアを設けてもよい。例えば、操作部１８用の入力信号処理回路を設けて、ＣＰＵの処理を分担してもよい。このような処理回路としては、キーボードコントローラ、マウスコントローラ等が知られている。【００３２】
また、例えば、操作部１８からの信号を処理する専用の入力制御プロセッサを別途設けてもよい。入力制御プロセッサは、操作部１８から、例えば受信チャンネル切り替え指示を受け、放送受信部１４に直接、または、受信制御部３２を通じて放送受信部１４に受信チャンネル切り替え信号を伝達すればよい。【００３３】
画面制御部３１は、表示部２１Ａに１または複数の画面を表示する。画面は、ウィンドウとも呼ばれる。画面制御部３１は、制御装置１０Ａを構成するＣＰＵで実行されるプログラムとして実現される。ただし、画面制御部３１として、画像処理を専用に実行するプロセッサまたは画像処理基板を設けてもよい。【００３４】
受信制御部３２は、監視部１１Ａでの監視結果にしたがって、放送受信部１４を制御し、ハイビジョン放送またはワンセグメント放送のいずれかを選択して受信させる。受信制御部３２は、制御装置１０Ａを構成するＣＰＵで実行されるプログラムとして実現される。ただし、受信制御部３２として、放送受信部１４を専用に制御するプロセッサを設けてもよい。【００３５】
また、監視部１１Ａは、テレビジョン視聴装置１０の使用状態を監視する使用状態監視部３３、テレビジョン視聴装置１０の負荷を監視する負荷監視部３４、および放送受信部１４で受信された番組を監視する番組監視部３５を含む。【００３６】
ここで、使用状態監視部３３が監視するテレビジョン視聴装置１０の使用状態とは、操作部１８を通じたユーザの操作頻度、表示部２１Ａでの画面構成、画面に対応して実行されるアプリケーションプログラムの種類、アクティブな画面とアクティブでない画面との関係等をいう。【００３７】
負荷監視部３４が監視する負荷とは、制御装置１０Ａで実行される情報処理の負荷、信号処理の負荷等をいう。これらの負荷は、例えば、ＣＰＵ占有率、入出力インターフェースで入出力されるデータの転送量、グラフィックス用プロセッサの使用率、画像処理プロセッサの使用率、メモリ占有率等を含む。【００３８】
また、番組監視部３５が監視する対象は、番組中の映像の変化、音量レベルの程度、音量レベルの変化、番組に関連づけられる文字情報の内容等をいう。【００３９】
監視部１１Ａ、使用状態監視部３３、負荷監視部３４および番組監視部３５は、制御装置１０Ａを構成するＣＰＵで実行されるプログラムとして実現される。ただし、監視部１１Ａ、使用状態監視部３３、負荷監視部３４および番組監視部３５として、それぞれの監視機能を専用に実行するプロセッサを設けてもよい。また、負荷監視部３４としては、ＣＰＵの負荷、表示部２１Ａあるいは入出力装置等の転送速度、転送データ量等を専用に監視するデジタル回路を設けてもよい。例えば、ＣＰＵ内の実行命令数を計測するカウンタ等の論理回路、カウンタ値を保持するレジスタ等を設けてもよい。【００４０】
なお、制御装置１０Ａ、放送受信部１４、および、表示部２１Ａを接続するインターフェースを含む構成が、本発明の情報機器に相当する。【００４１】
＜テレビジョン視聴装置の詳細構成＞
図３に、テレビジョン視聴装置１０の詳細構成を示す。図３のように、テレビジョン視聴装置１０は、コンピュータプログラムを実行し、テレビジョン視聴装置１０を制御するＣＰＵ１１と、ＣＰＵ１１で実行されるコンピュータプログラム、あるいはＣＰＵ１１が処理するデータを記憶するメモリ１２と、ＣＰＵ１１を各種の装置に接続するインターフェース１３と、インターフェース１３を通じて接続される放送受信部１４、通信部１５、ハードディスク駆動装置１６、可搬媒体駆動装置１７、操作部１８、ディスプレイ２１、および赤外線検出部１９等の装置とを有している。【００４２】
ここで、ＣＰＵ１１は、コンピュータプログラムを実行し、テレビジョン視聴装置１０の各部を制御し、テレビジョン視聴装置１０の機能を提供する。メモリ１２は、ＣＰＵ１１で実行されるプログラム、およびＣＰＵ１１で処理されるデータを記憶する。メモリ１１は、揮発性のＲＡＭ（Random Access Memory）と、不揮発性のＲＯＭ（Read Only Member）を含む。ＲＯＭには、フラッシュメモリ、ＥＰＲＯＭ（Erasable Programmable Read-Only Memory）、ＥＥＰＲＯＭ（Electrically Erasable Programmable Read-Only Memory）のような書き換え可能な半導体メモリを含む。【００４３】
インターフェース１３は、ＵＳＢ等のシリアルインターフェース、あるいは、ＰＣＩ（Peripheral Component Interconnect）、ＩＳＡ（Industry Standard Architecture ）、ＥＩＳＡ（Extended ISA）、ＡＴＡ（AT Attachment）、ＩＤＥ（Integrated Drive Electronics）、ＩＥＥＥ１３９４、ＳＣＳＩ（Small Computer System Interface）等のパラレルインターフェースのいずれでもよい。 なお、図３では、インターフェース１３と記載されているが、ＣＰＵ１１と各装置との間を異なるインターフェースで接続してもよい。また、複数のインターフェースをブリッジ接続してもよい。【００４４】
放送受信部１４は、少なくともデジタルテレビジョン放送を受信する機能を有する。その場合には、放送受信部１４は、同調回路と増幅器を含む高周波部の他、デジタル信号の復号器（例えば、ＯＦＤＭ（Orthogonal Frequency Division Multiplexing ）の復調器、およびＭＰＥＧ（Motion Picture Experts Group、ＭＰＥＧ−ｉ（ｉは、1,2,4のいずれか）の復号器等）を含む。なお、本実施形態のテレビジョン視聴装置１０は、ＭＰＥＧの種類に限定されないので、以下では、この復号器を単に、ＭＰＥＧの復号器と呼ぶ。【００４５】
ここで、高周波部は、高周波の電磁波をベースバンド信号に変換する。また、ＯＦＤＭの復調器は、ＦＦＴ（Fast Fourier Transform）処理回路および直交復調器を含み、ベースバンド信号からデジタル信号を生成する。ＭＰＥＧの復号器は、生成されたデジタル信号からＭＰＥＧの規定にしたがって、ビデオデータを生成する。これらの処理は、積和演算を実行する専用のデジタル回路で構成してもよい。また、ＤＳＰのようなプロセッサとプログラムで構成してもよい。また、テレビジョン放送の規格にしたがって製造され販売されている復調用ＬＳＩを用いてもよい。【００４６】
なお、図３では、省略されているが、放送受信部１４は、アンテナ、あるいはブロードバンドネットワークとのインターフェース等に接続され、地上波、地上波デジタル放送、衛星放送、ブロードバンドネットワーク等から信号を受信する。そして、放送受信部１４は、受信信号から動画と音声を生成し、ディプレイ２１に表示させる。【００４７】
通信部１５は、ブロードバンドネットワークとのインターフェースである。ブロードバンドネットワークは、例えば、ＬＡＮ（Local Area Network ）、ケーブルテレビネットワーク、ｘＤＳＬ（x Digital Subscriber Line）、ＡＤＳＬ、光ネットワーク等の有線ネットワーク、あるいは、無線ＬＡＮ、固定無線アクセス（ＦＷＡ）等の無線アクセス可能なネットワークである。通信部１５は、例えば、ネットワーク上のサーバから、ハードディスク駆動装置１６にインストールされるコンピュータプログラム、テレビジョン放送の電子番組表、放送される番組自体（動画と音声）を記録したビデオデータファイル、あるいは、オンラインの放送番組の受信データ等を取得する。これらのブロードバンドネットワークは、一般的には、インターネットに接続可能である。【００４８】
なお、通信部１５がブローバンドネットワーク上の放送番組を受信する場合、受信データは、通信部１５から放送受信部１４に引き渡すようにすればよい。また、放送受信部１４が、通信部１５とは異なるインターフェースでブローバンドネットワークに接続するようにしてもよい。【００４９】
ハードディスク駆動装置１６は、メモリ１２にロードされるプログラムを格納する。また、ハードディスク駆動装置１６は、ＣＰＵ１１で処理されるデータを保存する。さらに、ハードディスク駆動装置１６は、放送受信部１４と連動し、受信されたテレビジョン放送の番組（ビデオデータ）をハードディスクに記録する。さらに、ハードディスク駆動装置１６は、ハードディスクに記録されている番組を再生し、ディスプレイ２１に表示する。【００５０】
なお、ハードディスク駆動装置１６は、１台に限定されず、複数台設けてもよい。例えば、コンピュータプログラムを格納するディスクと、ビデオデータファイルを格納するディスクとで、異なるハードディスク駆動装置１６を用いてもよい。【００５１】
可搬媒体駆動装置１７は、例えば、ＣＤ（Compact Disc）、ＤＶＤ（Digital Versatile Disk）、ＨＤ−ＤＶＤ、ブルーレイディスク等の駆動装置である。また、可搬媒体駆動装置１７は、フラッシュメモリ等の不揮発性メモリを有するカード媒体の入出力装置であってもよい。可搬媒体駆動装置１７が駆動する媒体は、例えば、ハードディスク駆動装置１６にインストールされるコンピュータプログラム、ビデオデータファイル等を保持する。【００５２】
操作部１８は、各種のスイッチ、チャンネル操作用のつまみ等である。また、操作部１８として、コンピュータの入力装置、例えば、キーボード、ポインティングデバイス等が含まれる。ポインティングデバイスの種類には特に限定はなく、マウス、トラックボール、ダイヤル式操作部、スティック形式でディスプレイ上のポインタを移動する装置、静電容量によってユーザの指の操作を検出するデバイス（フラットポイントと呼ぶ）、タッチパネル、ジョイスティック等、テレビジョン視聴装置１０の特性、ユーザのニーズ等に応じて、適切なものを使用すればよい。【００５３】
キーボードは、ユーザの入力操作に応じて、入力されたキーに対応する電気信号を不図示のキーボードコントローラに送信する。キーボードコントローラは、その電気信号に対応する符号をＣＰＵ１１に送信する。ＣＰＵ１１のデバイスドライバは、ＯＳ（オペレーティングシステム）が内蔵するフォントデータ（輪郭線を描くためのいくつかの点の座標とそれを結ぶ曲線の方程式）に基づき、その符号に対応するフォントの輪郭線を形成し（True Fontと呼ぶ）ディスプレイ２１に表示する。また、ＣＰＵ１１は、ユーザの入力操作に応じて、文字入力先を示す文字カーソルを画面上に表示し、画面上を移動させる。【００５４】
ポインティングデバイスは、ユーザ操作を検知して、操作信号を不図示のポインティングデバイス制御装置（例えば、不図示のマウスコントローラ、または、インターフェース１３等）に送信する。操作信号を受けたポインティングデバイス制御装置は、操作の方向および操作量を生成するための情報をＣＰＵ１１に送信する。ＣＰＵ１１のデバイスドライバは、ポインティングデバイス制御装置からの操作信号に基づき、ディスプレイ２１上の画面にポインタを表示し、画面上を移動させる。【００５５】
また、ＣＰＵ１１のＯＳは、ポインタと、画面上のオブジェクト（ウィンドウ、ボタン、メニュー、リスト等）との位置関係を判定する。そして、そして、ポインタが存在する位置にあるオブジェクトを選択状態、あるいは、フォーカス状態にする。さらに、ポインティングデバイスに対する選択確定操作、例えば、マウスボタンの押下によって、そのオブジェクトの選択を確定する。【００５６】
ディスプレイ２１は、例えば、液晶表示装置、プラズマディスプレイパネル、ＣＲＴ（Cathode Ray Tube）、エレクトロルミネッセンスパネル等である。なお、ディスプレイ２１には、画像データを格納するＲＡＭ、およびＲＡＭのデータに基づきディスプレイ２１を駆動する駆動回路が含まれる（図４の画像処理部２２参照）。ただし、画像データを格納するＲＡＭ、ディスプレイ２１を駆動する駆動回路等は、画像処理部として、ディプレイ２１とは独立に設けてもよい。その場合に、画像処理部には、ＣＰＵ１１からの画面情報を構成するデータ、放送受信部１４で受信されたビデオデータが入力される。【００５７】
また、ディスプレイ２１には、スピーカが付属し、放送受信部１４で生成された音（音声および音声以外の音響を含む）、ハードディスク駆動装置１６または可搬媒体駆動装置１７から読み出され、不図示の音声合成基板で再生された音を出力する。音声合成基板は、例えば、ＭＰ３等のデジタルデータを音に変換する。【００５８】
赤外線検出部１９は、赤外線リモコン２０からの赤外線による操作信号を検知し、電気信号に変換し、テレビジョン視聴装置１０の各部に伝達する。ただし、ＣＰＵ１１がインターフェース１３を通じて一旦操作信号を受け付け、ＣＰＵ１１からテレビジョン視聴装置１０の各部に指令を送るようにしてもよい。ユーザは、赤外線リモコン２０上の操作ボタンを操作することにより、赤外線検出部１９を通じて、テレビジョン視聴装置１０を操作することができる。【００５９】
以上のようなテレビジョン視聴装置１０は、例えば、放送受信部１４を有するパーソナルコンピュータとして構成できる。ただし、テレビジョン視聴装置１０は、パーソナルコンピュータに限定されず、同等の機能を有する他の装置、例えば、ハードディスク１６を有するテレビジョン受信装置であってもよい。また、ＤＶＤレコーダ、ハードディスクレコーダ、テレビジョン放送受信用のチューナ、セットトップボックス、テレビジョン放送受信機能付きの携帯電話、携帯情報端末（ＰＤＡ）、ゲーム機、テレビジョン放送受信機能付きの車載器等によっても、テレビジョン視聴装置１０は、実現できる。【００６０】
図４に、放送受信部１４の詳細構成を示す。放送受信部１４は、アンテナＡＮまたは通信基板１５Ａを通じて高周波（ＲＦ）を受信するチューナ１４１（高周波部ともいう）と、チューナ１４１の受信信号の出力先を切り替えるスイッチＳＷ１と、スイッチＳＷ１を介してチューナ１４１の受信信号を入力されるワンセグメント復号器１４２と、ハイビジョン復号器１４３と、ワンセグメント復号器１４２およびハイビジョン復号器１４３のいずれかの復号信号を出力するスイッチＳＷ２を有している。【００６１】
チューナ１４１は、アンテナＡＮまたは通信部１５を通じて入力される高周波のうち、受信チャンネルに該当する帯域部分のベースバンド信号を抽出する。チューナ１４１は、例えば、増幅器とバンドパスフィルタとを含む。【００６２】
スイッチＳＷ１は、ＣＰＵ１１からの制御信号によって、チューナ１４１からの受信信号をワンセグメント復号器１４２およびハイビジョン復号器１４３のいずれかに接続する。スイッチＳＷ１は、いずれか一方がオンし、他方がオフするように、相補的に組み合わせたトランジスタで構成できる。【００６３】
本実施形態でのテレビジョン放送は、１チャンネルが１３個のセグメントを含むデジタル放送である。各セグメントは、ＯＦＤＭ（直交周波数分割多重）のサブキャリアにて搬送される。【００６４】
ワンセグメント復号器１４２は、例えば、１３セグメントのうち、１個のセグメント（本発明の第２放送帯域に相当）だけを復号するＯＦＤＭ復号器とＭＰＥＧ復号器を含む。ＯＦＤＭ復号器は、ベースバンド信号から、その復号器が担当する１セグメント分のデジタル信号を生成する。ＭＰＥＧ復号器は、１セグメント分のデジタル信号からデジタルビデオ信号およびデジタル音信号を生成する。【００６５】
ハイビジョン復号器１４３は、１３セグメントのうち、上記１セグメントを除く１２個のセグメント（本発明の第１放送帯域に相当）を復号するＯＦＤＭ復号器とＭＰＥＧ復号器を含む。この場合、ＭＰＥＧ復号器は、１２セグメント分のデジタル信号からデジタルビデオ信号およびデジタル音信号を生成する。なお、ワンセグメント復号器１４２と、ハイビジョン復号器１４３とで、ＭＰＥＧ復号器を共用しても構わない。【００６６】
なお、スイッチＳＷ２の出力信号は、画像処理部２２（あるいは、グラフィックス基板ともいう）に供給される。画像処理部２２は、ＣＰＵ１１からの画面情報（例えば、ウィンドウの構成、ウィンドウ内のグラフィックスオブジェクト、ウィンドウに表示される画像、テキスト等）と、放送受信部１４からの受信番組の映像情報（いわゆるテレビジョンの映像）を含むテレビジョン画面の情報とを合成して、ディスプレイ２１に出力する。このような画像処理部は、例えば、画像を蓄積するメモリと、メモリ内の画像に対する種々の演算を実行するグラフィックスプロセッサと、メモリ内の画像データからディスプレイを駆動する駆動信号を生成する駆動回路とを含む。【００６７】
＜第１実施形態の処理フロー＞
以下、本テレビジョン視聴装置１０によるテレビジョン番組受信処理の手順を説明する。図５は、本テレビジョン視聴装置１０がテレジョン放送の受信を開始するときの処理手順である。【００６８】
この処理では、まず、ユーザが操作部１８を使用してテレビジョン視聴装置１０にテレビジョン放送の視聴を指示する。テレビジョン視聴装置１０は、ユーザによる操作部１８への操作を検知して、指定されたテレビジョン番組の受信を開始する（Ｓ１）。【００６９】
このとき、テレビジョン視聴装置１０は、ディスプレイ２１が画面の全領域を用いる全画面表示モード（フルスクリーンモードともいう）となっているか否かを判定する。全画面表示モードか、否かは、操作部１８を通じてユーザ操作によって指定される。入力操作の結果は、ディスプレイ２１を制御するパラメータとして、メモリ１２およびハードディスク駆動装置１６で駆動されるハードディスク内のファイルに記憶されている。【００７０】
ディスプレイ２１が全画面表示モードでない場合、テレビジョン視聴装置１０は、ディスプレイ２１の画面が複数の表示領域に分割されていることを認識する。そこで、テレビジョン視聴装置１０は、テレビジョン番組が表示されるテレビジョン画面の属性を検索する。テレビジョン画面の属性は、テレビジョン放送を表示するアプリケーションプログラムの名称とともに、例えば、レジストリと呼ばれるメモリ１２およびハードディスク駆動装置１６で駆動されるハードディスク内のファイルに記憶されている。ただし、Ｓ３の処理を実行するアプリケーションプログラムが、ＯＳ（オペレーティングシステム）のアプリケーションインターフェースに問い合わせることで（ＯＳのシステム関数の呼び出し等）、テレビジョン画面の属性を取得してもよい。例えば、図５の処理を実行するアプリケーションプログラム（以下、視聴制御アプリケーションという）が、ＯＳからテレビジョン画面のウィンドウＩＤと呼ばれる識別情報を取得する。そして、そのウィンドウＩＤで識別されるウィンドウの属性をＯＳから取得すればよい。【００７１】
そして、テレビジョン視聴装置１０は、テレビジョン画面の寸法が、所定の基準寸法以上か否かを判定する。テレビジョン画面の寸法が所定の基準寸法未満の場合、テレビジョン視聴装置１０は、スイッチＳＷ１およびＳＷ２を制御し、１セグメント放送を受信し、テレビジョン画面に表示する（Ｓ４）。【００７２】
一方、Ｓ２の判定で全画面表示モードであったか、または、Ｓ３の判定でテレビジョン画面の寸法が、所定の基準寸法以上の場合、テレビジョン視聴装置１０は、ハイビジョン放送を受信し、テレビジョン画面に表示する（Ｓ５）。そして、テレビジョン視聴装置１０は、テレビジョン放送の受信を継続する（Ｓ６Ａ）。【００７３】
以上述べたように、本実施形態のテレビジョン視聴装置１０は、テレビジョン画面が、全画面表示モードか否か、あるいは、所定の基準寸法否かを判定する。そして、テレビジョン画面の寸法が所定の基準寸法未満の場合、テレビジョン視聴装置１０は、ワンセグメント放送を受信する。したがって、解像度が不十分な画面では、データ量の多いハイビジョン放送を受信することがない。一方、テレビジョン画面が全画面表示モードであるか、あるいは、所定の基準寸法以上である場合、テレビジョン視聴装置１０は、ハイビジョン放送を受信する。したがって、ユーザがテレビジョン番組を視聴するときに、画面の状態に応じて、適切と推定される精細の映像にてテレビジョン放送を受信できる。【００７４】
なお、図５では、テレビジョン視聴装置１０の視聴制御アプリケーションがテレビジョン画面の属性を判定してテレビジョン放送の方式（ハイビジョンかワンセグメントか）を選択した。しかし、このような手順に加えて、ハイビジョン放送およびワンセグメント放送の受信開始前に、ユーザに確認を促すようにしてもよい。例えば、「現在テレビジョン画面は、寸法が所定の基準寸法より小さいので、ワンセグメント放送を受信します。ＯＫですか。」という画面上のメッセージまたは音声による問い合わせをユーザに発し、操作部１８からの入力を促せばよい。【００７５】
＜第２実施形態の処理フロー＞
図６−図１１により、本発明の第２実施形態に係るテレビジョン視聴装置１０の処理フローを説明する。本実施形態のハードウェア構成は第１実施形態と共通であり、テレビジョン視聴装置１０の処理フローだけが第２実施形態と相違する。また、処理フローについては、上記第１実施形態では、テレビジョン視聴開始時に、画面寸法が基準寸法未満の場合に、テレビジョン視聴装置１０がワンセグメント放送を受信した。【００７６】
本実施形態では、画面寸法が基準寸法未満の場合に、テレビジョン視聴装置１０は、ワンセグメント放送とハイビジョン放送の切り替えモードを設定する。このモードでは、テレビジョン視聴装置１０は、システムの負荷、ユーザの作業状況、受信番組の内容等に応じて、ワンセグメント放送とハイビジョン放送とを切り替えて受信する。一方、画面寸法が基準寸法以上の場合に、テレビジョン視聴装置１０は、ハイビジョン放送を受信する。【００７７】
図６に、テレビジョン放送受信を開始する処理フローを示す。この処理で、Ｓ１−Ｓ３の処理は、図５と同様であるので、その説明を省略する。本実施形態では、Ｓ３の判定で、テレビジョン画面の寸法が所定の基準寸法未満の場合、テレビジョン視聴装置１０は、ワンセグメント放送とハイビジョン放送の切り替えモードを設定する（Ｓ４Ａ）。【００７８】
一方、Ｓ２の判定で全画面表示モードであったか、または、Ｓ３の判定でテレビジョン画面の寸法が、所定の基準寸法以上の場合、テレビジョン視聴装置１０は、ハイビジョン放送固定モードを設定する（Ｓ５Ａ）。このモードでは、テレビジョン視聴装置１０は、ハイビジョン放送を受信し、テレビジョン画面に表示することになる。【００７９】
そして、テレビジョン視聴装置１０は、テレビジョン放送受信処理を実行する（Ｓ６）。【００８０】
図７−図１０は、ワンセグメント放送とハイビジョン放送の切り替えモードでテレビジョン放送受信処理中に並列に実行されるプロセスを示している。図７は、システムの負荷によってワンセグメント放送とハイビジョン放送の切り替えを実行する処理フローである。【００８１】
この処理は、ハイビジョン放送受信中に実行される（Ｓ１０）。この処理では、テレビジョン視聴装置１０は、システムの負荷を監視している（Ｓ１１）。ここで、システムの負荷とは、例えば、ＣＰＵ負荷（ＣＰＵ使用率ともいう）、グラフィックボードの負荷、インターフェース１３の入出力実行回数、メモリ使用量（逆に空きメモリの割合）等である。これらのシステム負荷に関する情報は、例えば、図７の処理を実行する制御アプリケーションがＯＳのアプリケーションインターフェースに問い合わせることで取得できる。【００８２】
すなわち、まず、テレビジョン視聴装置１０は、ＣＰＵ負荷が基準値以上か否かを判定する（Ｓ１２）。ＣＰＵ負荷が基準値未満の場合、次に、テレビジョン視聴装置１０は、不図示の画像処理部２２の負荷が基準値以上か否かを判定する（Ｓ１３）。画像処理部２２の負荷が基準値未満の場合、次に、テレビジョン視聴装置１０は、インターフェース１３の入出力回数（Ｉ／Ｏ回数と略称する）が所定の基準値以上か否かを判定する（Ｓ１４）。なお、Ｉ／Ｏ回数に代えて、インターフェース１３のデータ転送レート（トラフィック）を判定してもよい。インターフェース１３の入出力回数が所定値未満の場合、テレビジョン視聴装置１０は、スイッチＳＷ１およびＳＷ２を制御して、ハイビジョン放送を受信する（Ｓ１５）。【００８３】
一方、Ｓ１２の判定でＣＰＵ負荷が基準値以上であるか、Ｓ１３の判定で画像処理部の負荷が基準値以上であるか、および、Ｓ１４の判定でインターフェース１３の入出力回数が所定の基準値以上であるかのいずれか１つが満たされる場合、テレビジョン視聴装置１０は、ワンセグメント放送を受信する（Ｓ１６）。【００８４】
その後、テレビジョン視聴装置１０は、制御をＳ２１に戻す。このようにして、図７の処理は、ハイビジョン放送視聴中、所定の時間間隔で実行される。【００８５】
図８に、番組内容（シーン、音量、文字データ）による受信放送の切り替え処理を示す。この処理も、図７と同様、ハイビジョン放送受信中に実行される（Ｓ２０）。この処理では、テレビジョン視聴装置１０は、受信する番組の内容を監視している（Ｓ２１）。【００８６】
そして、テレビジョン視聴装置１０は、音量レベルが基準値以上か否かを判定する（Ｓ２２）。なお、Ｓ２２において、音量レベルの変化（増加量）が基準値以上か否かを判定してもよい。この音量レベルは、音信号を再生したときの、振幅の所定期間内平均値で算出できる。音量レベルが所定値以上となるのは、例えば、盛り上りシーン、注目シーンであると想定される。逆に、音量レベルが所定値未満の場合は、ユーザの注目度が低いと判断できる。【００８７】
そして、音量レベルが基準値以上の場合、次に、テレビジョン視聴装置１０は、映像の変化率が基準値以上か否かを判定する（Ｓ２３）。映像の変化率は、所定期間に含まれる複数の映像のフレームについて、平均濃度の変化量、赤緑青それぞれの色の映像についての画素数の変化量、ＭＰＥＧで定義される移動ベクトル量の変化量、白画像（ＲＧＢがすべて所定輝度以上の画素からなる画像）の面積の変化量、黒画像（ＲＧＢがすべて所定輝度未満の画素からなる画像）の面積の変化量等を監視することで算出される。いずれの変化量を用いて映像の変化率とするかは、例えば、操作部１８を通じたユーザ設定による。そのユーザ設定による指定は、システムのパラメータとしてメモリ１２およびハードディスク駆動装置１６のハードディスクに記憶される。ここで、映像の変化率が基準値以上の場合とは、例えば、本編からコマーシャルに遷移した場合である。【００８８】
そして、映像の変化率が基準値未満の場合、次に、テレビジョン視聴装置１０は、文字放送中に特定の文字列を検出したか否かを判定する。ここで、文字放送とは、テレビジョン放送の空き帯域に放送される文字情報（例えば、字幕）である。また、文字放送は、例えば、デジタル放送の空き帯域で放送され、映像放送に付加されるＸＭＬ形式等のデータによるデータ放送に含まれる。【００８９】
本実施形態では、ユーザは、操作部１８を操作して、検出したい文字列を予め設定しておく。設定された文字列は、例えば、メモリ１２に記憶される。そして、テレビジョン視聴装置１０は、テレビジョン放送中またはテレビジョン放送に付加されたデータ中に設定済みの文字列が存在するか否かを監視する。これは、例えば、特定の商品またはサービスに関する文字列が検出されたときには、コマーシャル放送中と推定できるからである。【００９０】
テレビジョン視聴装置１０は、所定の文字列が検出されないとき、スイッチＳＷ１およびＳＷ２を制御してハイビジョン放送を受信する（Ｓ２５）。一方、Ｓ２２の判定で音量レベルが基準値未満であるか、Ｓ２３の判定で映像の変化率が基準値以上であるか、および、Ｓ２４の判定で所定の文字列が検出されたかのいずれかが満足された場合、テレビジョン視聴装置１０は、ワンセグメント放送の受信に切り替える（Ｓ２６）。【００９１】
なお、Ｓ２３の判定で、音量レベルが急激に変化するのは、本編からコマーシャルに遷移した場合とも考えられる。そこで、音量レベルの変化率が所定の基準値以上の場合、ワンセグメント放送に切り替える処理を実行してもよい。【００９２】
図９に、画面状態による受信放送の切り替え処理を示す。この処理も、図７と同様、ハイビジョン放送受信中に実行される（Ｓ３０）。この処理では、テレビジョン視聴装置１０は、ディスプレイ２１の画面の状態を監視している（Ｓ３１）。画面の状態は、図９の処理を実行するアプリケーションがＯＳのアプリケーションインターフェースに問い合わせることで取得できる。【００９３】
まず、テレビジョン視聴装置１０は、ゲーム等、映像または音再生実行中のウィンドウがあるか否かを判定する（Ｓ３２）。このような判定対象の処理のカテゴリ、あるいは、ジャンルは、予め操作部１８を通じたユーザ操作によってメモリ１２およびハードディスク駆動装置１６のハードディスクに登録しておいてもよい。ゲームを実行するウィンドウか否か等は、ＯＳのアプリケーションインターフェースに問い合わせればよい。【００９４】
そのようなゲーム等のカテゴリのアプリケーションを実行中のウィンドウが存在しない場合、次に、テレビジョン視聴装置１０は、テレビジョン画面がアクティブか否かを判定する（Ｓ３３）。テレビジョン画面がアクティブとは、例えば、テレビジョン画面を構成するウィンドウにポインタが置かれている状態をいい、フォーカスされているともいう。【００９５】
テレビジョン画面がアクティブな場合、テレビジョン視聴装置１０は、ハイビジョン放送を受信する（Ｓ３５）。ユーザが注目しているからである。一方、Ｓ３２の判定でゲーム等が実行中でないか、Ｓ３３の判定でテレビジョン画面がアクティブでない場合、テレビジョン視聴装置１０は、ワンセグメント放送を受信する（Ｓ３６）。【００９６】
図１０に、操作量による受信放送の切り替え処理を示す。この処理も、ハイビジョン放送受信中に実行される（Ｓ４０）。この処理では、テレビジョン視聴装置１０は、ユーザの操作量を検出する（Ｓ４１）。ユーザの操作量とは、例えば、操作部１８を通じた入力操作に対するイベントの検出回数をいう。入力操作に対するイベントは、操作部１８を制御するデバイスドライバおよびＯＳを通じて、制御アプリケーションが取得できる。例えば、制御アプリケーションは、ＯＳに対してイベントの通知を依頼し、イベント待ちとなるアプリケーションインターフェースを呼び出せばよい。【００９７】
次に、テレビジョン視聴装置１０は、Ｓ４１の検出されたイベントに応じて、操作頻度を計数する（Ｓ４２）。イベントが発生すると、ＯＳから制御アプリケーションにイベントの種類、すなわち、操作された操作部１８の種類と、操作の状態（例えば、キーボードのキーの種類、マウスのクリック、マウスポインタの位置）等が通知される。テレビジョン視聴装置１０は、そのイベントの種類ごとにイベントの発生回数を計数する。これによって、イベント回数として、操作頻度を把握できる。操作頻度は、単位時間、例えば、直近１０分間の操作回数として定義できる。この単位時間は、メモリ１２またはハードディスク駆動装置１６のハードディスクに格納しておき、操作部１８を通じて、変更可能とすればよい。【００９８】
そして、テレビジョン視聴装置１０は、操作頻度が基準値以上か否かを判定する（Ｓ４３）。操作頻度が基準値未満の場合、テレビジョン視聴装置１０は、ハイビジョン放送を受信する（Ｓ４５）。一方、操作頻度が基準値以上の場合、テレビジョン視聴装置１０は、ワンセグメント放送を受信する（Ｓ４６）。ユーザが所定の操作に専念しており、テレビジョン画面の着目度が低いと判断できるからである。【００９９】
図１１に、テレビジョン放送受信中に、表示画面を切り替える処理のフローチャートを示す。この処理は、テレビジョン視聴装置１０が、操作部１８を通じて、ユーザ操作を検出したときに開始する（Ｓ５１）。以下の処理は、操作部１８と連携するＣＰＵ１１のユーザインターフェース処理プログラムが実行する。【０１００】
まず、テレビジョン視聴装置１０は、ユーザ操作が複数画面を表示する操作であったか否かを判定する（Ｓ５２）。ユーザ操作が複数画面を表示する操作であったとき、テレビジョン視聴装置１０は、テレビジョン画面が所定の寸法であるか否かを判定する（Ｓ５３）。【０１０１】
Ｓ５３の判定で、テレビジョン画面の寸法が所定の基準寸法未満の場合の処理は、図６のＳ４Ａと同様である。【０１０２】
一方、Ｓ２の判定で全画面表示モードであったか、または、Ｓ３の判定でテレビジョン画面の寸法が所定の基準寸法以上の場合の処理は、図６のＳ５Ａと同様である。そして、テレビジョン装置１０は、テレビジョン放送の受信を継続する（Ｓ６）。【０１０３】
以上述べたように、テレビジョン視聴装置１０は、テレビジョン画面の寸法が、所定の寸法未満である場合に、システムの状態、番組内容、画面の状態、ユーザの操作頻度等に応じて、受信する放送の方式を切り替える。すなわち、このような状況に応じて、テレビジョン視聴装置１０は、高精細のハイビジョン放送を受信すべきか、負荷の少ないワンセグメント放送を受信すべきかを決定する。したがって、システムの状態、番組内容、画面の状態、ユーザの操作頻度等に応じて、従来よりも適切な放送を受信できる可能性を高めることができる。【０１０４】
以上のような放送の種類の切り替えは、ＣＰＵ１１で実行される制御アプリケーションにしたがって、自動的に実行してもよい。また、放送の種類を実際に切り替える前に、実行されるユーザインターフェースプログラムが、ディプレイ２１の表示または音声によってユーザに確認を求めるようにしてもよい。【０１０５】
＜第３実施形態の処理フロー＞
図１２により、本発明の第３実施形態に係るテレビジョン視聴装置１０の処理フローを説明する。本実施形態のハードウェア構成は第１実施形態および第２実施形態と共通であり、テレビジョン視聴装置１０の処理フローだけが上記各実施形態と相違する。また、処理フローについては、上記第１実施形態では、テレビジョン視聴開始時に、画面寸法が基準寸法未満の場合に、テレビジョン視聴装置１０がワンセグメント放送を受信した。また、全画面表示モードか、画面寸法が基準寸法以上の場合に、テレビジョン視聴装置１０がハイビジョン放送を受信した。このような処理において、さらに、上記第２実施形態と同様の処理を組み込んでもよい。すなわち、全画面表示モード、あるいは、画面寸法が基準寸法以上にて、テレビジョン視聴装置１０がハイビジョン放送を受信中に、第２実施形態で示した条件が検出された場合に、ワンセグメント放送を受信するようにしてもよい。その場合に、画面を所定寸法未満に縮小してもよい。図１２に、そのような処理フローを示す。【０１０６】
すなわち、テレビジョン視聴装置１０（のＣＰＵ１１）は、テレビジョン視聴装置１０の各部の状態を監視する（Ｓ６１）。そして、ＣＰＵ１１は、テレビジョン視聴装置１０の各部の状態が所定の条件に該当するか否かを判定する（Ｓ６２）。所定の条件とは、上記第１実施形態、第２実施形態で説明した画面の表示状態、画面の寸法、システムの負荷、受信中の番組の内容、画面に関連づけて実行されるアプリケーションプログラムの種類、ユーザ操作の頻度等が所定の条件に該当するかどうかをいう。【０１０７】
そして、これらの状態が、テレビジョン画面に対する注目度が高くない、あるいは、他に優先すべき処理がある等に該当する場合、テレビジョン視聴装置１０は、テレビジョン画面を所定寸法まで縮小する（Ｓ６３）。そして、テレビジョン視聴装置１０は、ワンセグメント放送を受信する（Ｓ６４）。【０１０８】
一方、これらの状態がテレビジョン画面に対する注目度が高く、かつ、他に優先すべき処理がない等に該当する場合、テレビジョン視聴装置１０は、ハイビジョン放送を受信する（Ｓ６５）。そして、テレビジョン視聴装置１０は、制御をＳ６１に戻す。【０１０９】
＜その他の変形例＞
上記第１実施形態から第３実施形態では、デジタル放送のハイビジョン放送とワンセグメント放送を例に本発明を適用したテレビジョン視聴装置を説明した。しかし、本発明の実施は、このような構成に限定されるものではない。すなわち、本発明の本質は、広帯域放送と、狭帯域放送とを使い分けて受信することにあり、したがって、アナログ放送にて広帯域放送と、狭帯域放送とが放送されている場合についても、同様に使い分けることができる。【０１１０】
＜コンピュータ読み取り可能な記録媒体＞
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。【０１１１】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。【０１１２】
また、コンピュータ等に固定された記録媒体としてハードディスクやＲＯＭ（リードオンリーメモリ）等がある。
【図１】
2008081512.tif 000003
【図２】
2008081512.tif 000004
【図３】
2008081512.tif 000005
【図４】
2008081512.tif 000006
【図５】
2008081512.tif 000007
【図６】
2008081512.tif 000008
【図７】
2008081512.tif 000009
【図８】
2008081512.tif 000010
【図９】
2008081512.tif 000011
【図１０】
2008081512.tif 000012
【図１１】
2008081512.tif 000013
【図１２】
2008081512.tif 000014
【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
第１放送帯域および第１放送帯域よりも帯域幅が狭い前記第２放送帯域の少なくとも一方から番組を受信可能な放送受信部と、
表示装置を接続可能なインターフェースと、
前記インターフェースに接続される表示装置の画面を複数の表示領域に分割してそれぞれの情報を表示する複数画面態様と単一の表示領域にて情報を表示する単一画面態様とによって前記表示装置への画面出力形態を制御する画面制御部と、
制御装置と、を備え、
前記制御装置は、
前記放送受信部の状態、前記表示装置の状態、前記画面制御部の状態および当該制御装置の状態の少なくとも１つを含む情報機器の状態を監視する監視部と、
前記監視部によって前記情報機器の状態が所定の条件に該当すると判定されたときに、前記放送受信部を制御し、前記第２放送帯域から前記番組を受信する受信制御部と、を備える情報機器。
【請求項２】
前記監視部は、番組の映像、番組の音、および番組に関連づけて放送される情報の少なくとも１つが所定の判定条件に該当するか否かを監視する番組監視部を有し、
前記番組の映像、番組の音、および番組に関連づけて放送される情報の少なくとも１つが前記判定条件に該当する場合に、前記受信制御部が、前記放送受信部に、第１放送帯域からの受信を中断させ、前記第２放送帯域から前記番組を受信させる請求項１に記載の情報機器。
【請求項３】
前記監視部は、当該情報機器の使用状態が所定の使用条件に該当するか否かを監視する使用状態監視部を有し、
前記使用状態が前記使用条件に該当する場合に、前記受信制御部が、前記放送受信部に、前記第１放送帯域からの受信を中断させ、前記第２放送帯域から前記番組を受信させる請求項１に記載の情報機器。
【請求項４】
前記使用状態は、前記検知部で検知される入力操作の頻度、前記単一画面態様および複数画面態様を含む前記表示装置に表示される画面の状態、前記複数画面態様で表示される画面の寸法、および、前記表示装置に表示される画面に対応する情報処理の種類を含む請
求項３に記載の情報機器。
【請求項５】
第１放送帯域および第１放送帯域よりも帯域幅が狭い前記第２放送帯域の少なくとも一方から番組を受信可能な放送受信部と、
表示装置を接続可能なインターフェースと、
前記インターフェースに接続される表示装置の画面を複数の表示領域に分割してそれぞれの情報を表示する複数画面態様と単一の表示領域にて情報を表示する単一画面態様とによって前記表示装置への画面出力形態を制御する画面制御部と、を有する情報機器をコンピュータに制御させるプログラムであり、
前記放送受信部の状態、前記表示装置の状態、前記画面制御部の状態、および当該コンピュータの状態の少なくとも１つを含む情報機器の状態を監視する監視ステップと、
前記監視ステップによって前記情報機器の状態が所定の条件に該当すると判定されたときに、前記放送受信部を制御し、前記第２放送帯域から前記番組を受信する受信制御ステップと、を前記コンピュータに実行させるためのプログラム。
【請求項６】
番組の映像、番組の音、および番組に関連づけて放送される情報の少なくとも１つが所定の判定条件に該当するか否かを監視するステップと、
前記番組の映像、番組の音、および番組に関連づけて放送される情報の少なくとも１つが前記判定条件に該当する場合に、第１デジタル放送からの受信を中断し、前記第２放送帯域から前記番組を受信するステップと、をさらに前記コンピュータに実行させるための請求項５に記載のプログラム。
【請求項７】
当該情報機器の使用状態が所定の使用条件に該当するか否かを監視するステップと、
前記使用状態が前記使用条件に該当する場合に、前記第１デジタル放送からの受信を中断し、前記第２放送帯域から前記番組を受信するステップと、をさらに前記コンピュータに実行させるための請求項５に記載のプログラム。
【請求項８】
前記使用状態は、前記検知部で検知される入力操作の頻度、前記単一画面態様および複数画面態様を含む前記表示装置に表示される画面の状態、前記複数画面態様で表示される画面の寸法、および、前記表示装置に表示される画面に対応する情報処理の種類を含む請求項７に記載のプログラム。
【国際調査報告】
2008081512.tif 000015
2008081512.tif 000016
2008081512.tif 000017
2008081512.tif 000018